(57)【要約】  【課題】  記録済みの番組、記録媒体に複写、移動されたデジタル番組、記録媒体の形態で所有している番組、および過去にレンタルなどで視聴したデジタルソフトを統括して管理する。  【解決手段】  ハードディスクなどの固定記録部に番組を録画したり、ＤＶＤなどの記録媒体に番組を複写または移動したり、記録済みのＤＶＤを再生した場合に、番組の関連情報を、リストを用いて一括して管理する。これにより、過去に視聴したり記録したりＤＶＤに複写した番組を、リスト形式で印刷したり、ネットワークを通じて携帯端末に配信したりして、過去に視聴したり記録した番組を視聴者が認識可能とし、重複番組記録（録画）などを避ける。さらに、リストに対応する関連情報を記録媒体に記録し、同じ情報を記録媒体に印刷できるようにする。【選択図】        図２
2006093933.tif 000002
【特許請求の範囲】
【請求項１】
入力されたデータに応じて、処理を実行可能に構成された情報処理手段と、
番組放送とともに番組に関連する情報を受信可能に構成された受信手段と、
前記番組に関連する情報および前記番組を記録する記録手段と、
記録媒体に番組および／または番組に関連する情報を記録可能に構成された記録媒体記録手段と、
前記番組および／または番組に関連する情報が記録された記録媒体を再生可能に構成された記録媒体再生手段とを有し、
前記情報処理手段により、
前記記録手段に記録された前記番組に関連する情報に対応して、記録に関連した情報を前記記録手段に記憶可能に構成され、
前記番組および前記番組に関連する情報を前記記録手段から消去可能に構成され、
前記消去された番組に対応した記録情報を消去可能に構成され、
前記記録手段に記録された番組と番組に関連する情報とを、前記記録媒体記録手段により記録媒体に複写可能に構成され、
前記複写された番組に対応した複写に関連する情報を前記記録手段に記録可能に構成され、
前記記録媒体再生手段により再生された番組に対応した番組情報、および再生に関連する情報を前記記録手段に記憶するように構成されている
ことを特徴とする番組記録再生装置。
【請求項２】
前記情報処理手段により、前記記録手段に、記録情報、複写情報および再生情報が記録されるように構成されている
ことを特徴とする請求項１記載の番組記録再生装置。
【請求項３】
前記情報処理手段により、前記記録手段に、記録情報、複写情報、および再生情報にリストを作成するための情報を付加して記憶するように構成されている
ことを特徴とする請求項１記載の番組記録再生装置。
【請求項４】
前記リストを作成するための情報が、リストに対応する管理番号である
ことを特徴とする請求項３記載の番組記録再生装置。
【請求項５】
前記リストを表示可能に構成された表示手段と接続され、
前記情報処理手段により、前記表示手段に前記リストを表示可能に構成されている
ことを特徴とする請求項３記載の番組記録再生装置。
【請求項６】
前記リストを印刷可能に構成された印刷手段と接続され、
前記情報処理手段により、前記印刷手段を用いて前記リストを印刷可能に構成されている
ことを特徴とする請求項３記載の番組記録再生装置。
【請求項７】
ネットワークに接続可能に構成され、前記ネットワークに接続して情報を配信するネットワーク配信手段を有し、
前記情報処理手段により前記記録手段に記憶されたリストを、前記ネットワーク配信手段により、前記ネットワークを介して、前記ネットワークに接続された端末に配信可能に構成されている
ことを特徴とする請求項３記載の番組記録再生装置。
【請求項８】
前記端末から前記ネットワークを通じて送信されたキーワード情報を受信可能に構成さ
れ、
前記情報処理手段により、前記端末から送信されたキーワード情報に基づいて、前記リストから前記情報に関連する番組を検索可能に構成されているとともに、前記検索された番組を前記ネットワーク配信手段により前記端末に返信可能に構成されている
ことを特徴とする請求項７記載の番組記録再生装置。
【請求項９】
前記情報処理手段に番組を特定する情報が入力されると、前記情報処理手段により、前記特定された番組を前記受信手段により受信して、前記記録手段に記録するように指示信号が供給され、
前記記録を指示された番組と同一の番組が前記リストの中に含まれる場合に、使用者に通知するように構成されている
ことを特徴とする請求項３記載の番組記録再生装置。
【請求項１０】
前記記録媒体記録手段により複写する番組に関連する情報を、前記情報処理手段により付加されたリストに対応する情報とともに、前記記録媒体に記録する
ことを特徴とする請求項３記載の番組記録再生装置。
【請求項１１】
前記記録情報は、記録手段に記録されている状態を認識可能な情報を含む
ことを特徴とする請求項２または３記載の番組記録再生装置。
【請求項１２】
前記複写情報は、記録媒体に複写されたことを認識可能な情報を含む
ことを特徴とする請求項２または３記載の番組記録再生装置。
【請求項１３】
前記再生情報は、記録媒体から再生されたことを示す情報を含む
ことを特徴とする請求項２または３記載の番組記録再生装置。
【請求項１４】
前記情報処理手段により、前記再生情報の中から、前記記録媒体再生手段により新たに再生される番組が同一の番組が存在するか否かを検出可能に構成され、
前記情報処理手段により、同一番組が再生された場合に、新たな再生情報を記憶しないように制御される
ことを特徴とする請求項１記載の番組記録再生装置。
【請求項１５】
前記情報処理手段により、前記番組の中の代表的なシーンを抽出可能に構成され、
前記情報処理手段により、前記記録手段に記録される、記録情報、複写情報および／または再生情報が、前記情報処理手段により抽出された代表シーンを含む
ことを特徴とする請求項１記載の番組記録再生装置。
【請求項１６】
前記情報処理手段により付加されたリストに対応する情報を前記番組が記録された記録媒体に印刷可能に構成された印刷手段と接続されている
ことを特徴とする請求項１記載の番組記録再生装置。
【請求項１７】
前記印刷手段が、前記番組が複写された記録媒体に対応する番組の代表シーンを前記記録媒体に印刷可能に構成されている
ことを特徴とする請求項１６記載の番組記録再生装置。
【発明の詳細な説明】
【技術分野】
【０００１】
この発明は、番組記録再生装置に関し、特に、番組放送から所定の番組を受信して、記録可能、かつ、記録した番組を再生可能、また、記録媒体に複写や移動可能、かつ、記録媒体から再生可能な番組記録再生装置に適用して好適なものである。
【背景技術】
【０００２】
近年、ハードディスクの大容量化やＤＶＤ記録装置に伴って番組の映像や音声をデジタル記録する装置が急速に普及している。ハードディスクに番組を記録するハードディスクレコーダは、ビデオテープに比して長時間の番組を記録可能であり、ネットワークに接続することによってチャンネルサーバとして利用できるなど、新しい録画再生機器として注目されている。
【０００３】
また、２００３年１２月には地上波デジタル放送が開始され、より高品位な映像や音声が楽しめるようになったことのみならず、番組の内容や電子番組表、さらには、データ放送などのデジタル放送に特有のサービスを享受することが可能である。
【０００４】
例えば、特許文献１に記載の技術においては、電子番組表から検出した、登録されている番組情報と同じ番組情報を有する放送番組が、既に記録されたことのある放送番組を履歴として保存する履歴保存手段に保存されていないときに、その放送番組を記録媒体に記録するように構成されている。そのため、電子番組表から検出された放送番組が履歴保存手段に保存されているときには、その放送番組の記録媒体への記録を禁止することができる。
【０００５】
また、再生専用のＤＶＤソフトも従来のビデオテープソフト並に普及し、高品位な映像や音声に加えて、番組内容や字幕放送の切り替えや、代表シーンの検索など、デジタル放送特有の便利な機能が提供されている。
【０００６】
このような背景から、使用者（視聴者）は、デジタル放送から提供されるデジタル番組やチャンネルサーバに記録したデジタル番組、さらには、ＤＶＤの記録媒体から提供されるデジタルソフトなど、多くのデジタルコンテンツを楽しむことができる。
【特許文献１】特開２００３−１８９２１４号公報
【発明の開示】
【発明が解決しようとする課題】
【０００７】
しかしながら、上述の従来の番組記録再生装置は、記録された番組のみを管理している。
【０００８】
したがって、この発明の目的は、記録済みの番組のみならず、記録媒体に複写または移動されたデジタル番組、記録媒体によって所有しているデジタルソフト、および使用貸借（レンタル）などにより視聴したデジタルソフトを統括して管理することができる番組記録再生装置を提供することにある。
【課題を解決するための手段】
【０００９】
上記目的を達成するために、この発明は、
入力されたデータに応じて、処理を実行可能に構成された情報処理手段と、
番組放送とともに番組に関連する情報を受信可能に構成された受信手段と、
番組に関連する情報および番組を記録する記録手段と、
記録媒体に番組および／または番組に関連する情報を記録可能に構成された記録媒体記録手段と、
番組および／または番組に関連する情報が記録された記録媒体を再生可能に構成された記録媒体再生手段とを有し、
情報処理手段により、
記録手段に記録された番組に関連する情報に対応して、記録に関連した情報を記録手段に記憶可能に構成され、
番組および番組に関連する情報を記録手段から消去可能に構成され、
消去された番組に対応した記録情報を消去可能に構成され、
記録手段に記録された番組と番組に関連する情報とを、記録媒体記録手段により記録媒体に複写可能に構成され、
複写された番組に対応した複写に関連する情報を記録手段に記録可能に構成され、
記録媒体再生手段により再生された番組に対応した番組情報、および再生に関連する情報を記録手段に記憶するように構成されている
ことを特徴とする番組記録再生装置である。
【００１０】
この発明において、典型的には、情報処理手段により、記録手段に、記録情報、複写情報および再生情報が記録されるように構成されている。
【００１１】
この発明において、典型的には、情報処理手段により、記録手段に、記録情報、複写情報、および再生情報にリストを作成するための情報を付加して記憶するように構成されている。また、典型的には、このリストを作成するための情報が、リストに対応する管理番号である。また、好適には、リストを表示可能に構成された表示手段と接続され、情報処理手段により、表示手段にリストを表示させるように構成されている。また、リストを印刷可能に構成された印刷手段と接続され、情報処理手段により、印刷手段を用いてリストを印刷可能に構成されている。
【００１２】
この発明において、典型的には、ネットワークに接続可能に構成され、ネットワークに接続して情報を配信するネットワーク配信手段を有し、情報処理手段により記録手段に記憶されたリストを、ネットワーク配信手段により、ネットワークを介して、ネットワークに接続された端末に配信可能に構成されている。
【００１３】
この発明において、典型的には、端末からネットワークを通じて送信されたキーワード情報を受信可能に構成され、情報処理手段により、端末から送信されたキーワード情報に基づいて、リストから情報に関連する番組を検索可能に構成されているとともに、検索された番組をネットワーク配信手段により端末に返信可能に構成されている。
【００１４】
この発明において、典型的には、情報処理手段に番組を特定する情報が入力されると、情報処理手段により、特定された番組を受信手段により受信して、記録手段に記録するように指示される構成され、記録を指示された番組と同一の番組がリストの中に含まれる場合に、使用者に通知するように構成されている。
【００１５】
この発明において、典型的には、記録媒体複写手段によって複写する番組に関連する情報が、情報処理手段により付加されたリストに対応する情報とともに、記録媒体に記録されるように構成されている。
【００１６】
また、この発明において、記録情報は、記録手段に記録されている状態を認識可能な情報を含む。また、複写情報は、記録媒体に複写されたことを認識可能な情報を含む。また、再生情報は、記録媒体から再生されたことを示す情報を含む。
【００１７】
この発明において、情報処理手段により、再生情報の中から、記録媒体再生手段により
新たに再生される番組が同一の番組が存在するか否かを検出可能に構成され、情報処理手段により、同一番組が再生された場合に新たな再生情報を記憶しないように制御される。
【００１８】
この発明において、典型的には、情報処理手段により、番組の中の代表的なシーンを抽出可能に構成され、情報処理手段により、記録手段に記録される、記録情報、複写情報および／または再生情報が、情報処理手段により抽出された代表シーンを含む。
【００１９】
この発明において、典型的には、情報処理手段により付加されたリストに対応する情報を番組が記録された記録媒体に印刷可能に構成された印刷手段と接続されている。そして、この印刷手段が、番組が複写された記録媒体に対応する番組の代表シーンを記録媒体に印刷可能に構成されている。
【発明の効果】
【００２０】
この発明による番組記録再生装置によれば、記録手段に記録されている番組のみならず、独立した記録媒体に複写された番組や、記録媒体で再生した番組を統括して管理することが可能となるので、使用者自らが所有する番組や、過去に視聴し記録媒体に記録した番組に関しても、使用者に容易に認識させることが可能となる。また、これらの情報を、表示手段を用いることにより容易にリスト表示したり、印刷手段を用いることによりリスト印刷を行ったりすることが可能となる。
【００２１】
また、この発明によれば、ネットワークを介することで、携帯電話などの端末を利用して、離れた場所からこのリストを参照することが可能となるので、新たに番組の記録（録画）を行ったり記録媒体のソフトを再生したりする場合に、使用者に対して、番組記録支援を行うことが可能となる。
【発明を実施するための最良の形態】
【００２２】
次に、以上の発明を具体化した一実施形態について図面を参照しながら説明する。なお、以下の一実施形態の全図においては、同一または対応する部分には同一の符号を付す。図１に、この発明による番組記録再生装置（録画再生装置）の構成を示す。
【００２３】
図１に示すように、この一実施形態による番組記録再生装置は、放送受信装置１１、集中制御装置１２、記録手段としてのハードディスク１３、記録媒体記録手段としてのＤＶＤドライブ１４、再生装置１５、リモコン受信装置１６、時刻計測装置１７およびネットワーク接続装置１８を有して構成されている。
【００２４】
放送受信装置１１は、放送局により地上波、衛星、ケーブルなどの媒体を利用して配信される番組を受信するための装置である。
【００２５】
集中制御装置１２は、ＣＰＵやプログラム、作業するためのワークＲＡＭなど（図示せず）を有する情報処理手段である。そして、この集中制御装置１２に備えられたワークＲＯＭやＲＡＭに記憶されたプログラムに基づき、接続された装置などに対して、種々の処理を実行させることができる。これにより、この一実施形態による番組記録再生装置の動作が集中的に実行される。
【００２６】
記録手段としてのハードディスク１３は、放送受信装置１１が受信した番組や番組に関連する情報を、集中制御装置を介して記録するための装置である。
【００２７】
ＤＶＤドライブ１４は、ハードディスク１３に記録された番組や番組に関連する情報を、集中制御装置１２を通じてＤＶＤなどの記録媒体に記録するための装置である。なお、必ずしもＤＶＤに限られず、ＣＤ−ＲやＣＤ−ＲＷなどのあらゆるディスク媒体に記録可能な装置を用いることが可能である。
【００２８】
再生装置１５は、ハードディスク１３に記録された番組や番組に関する情報、ＤＶＤドライブによってＤＶＤに記録された番組や番組に関連する情報、または市販のＤＶＤソフトを、たとえばテレビなどを用いて再生するための、データ変換を実行可能に構成されている。
【００２９】
リモコン受信装置１６は、使用者の指示を集中制御装置１２に伝達するリモコンの操作内容を受信するための装置である。時刻計測装置１７は、所定の時間に番組を受信し、記録するためなどに使用される装置である。また、ネットワーク接続装置１８は、他の機器と情報を通信するためにネットワークに接続するためのインターフェースである。
【００３０】
図２に、図１に示す集中制御装置１２により実行される処理の流れを示す。図２に示すように、集中制御装置１２にメイン電源が投入されると、ステップＳ２１において処理の初期化が実行される。この初期化が終了すると、ステップＳ２２に移行して、コマンド待ちのための処理のループ状態に入る。なお、この一実施形態においては、それぞれのコマンドは、使用者がリモコンを操作して送信した指示信号がリモコン受信装置１６に受信されることにより、または、時刻計測装置１７により所定時刻が検出されることにより、イベントが発生されて起動される。また、コマンドに対応する処理に関しては、処理が終了するとステップＳ２２におけるコマンド待ち状態に戻る。
【００３１】
イベントによりハードディスク１３に録画するコマンドが起動されると、ステップＳ２３において放送受信装置１１により受信された番組や番組に関連する情報が、ハードディスク１３に記録される。なお、番組に関連する情報とは、図３中、番組のタイトル、あらすじ、または出演者などの番組の内容に関する情報や、ＣＭの有り無しの情報、字幕放送などの付帯情報である。
【００３２】
そして、ステップＳ２５において、この番組に関する情報がリストに追加される処理が実行される。なお、リストに関連する情報は、図３に記載されているところの管理番号、画質、またはハードディスク１３に記録されたことを表す状態、さらには代表シーンである。
【００３３】
これらの番組に関連する情報やリストに関連する情報は、ハードディスク１３のリスト格納領域に格納される。なお、管理番号は、リスト表示をするために必要な番組固有の番号であり、この一実施形態による番組記録再生装置が管理するための番号である。この管理番号の付与の規則に関しては、種々の規則を適用することができ、再生情報、記録情報、複写情報ごとに異ならしてもよく、それ以外の管理規則を採用してもよい。
【００３４】
また、ステップＳ２４においては、代表シーンが作成されて所定アルゴリズムにより検出される。具体的には、例えば、番組の先頭シーンであったり先頭周辺の画像の判別し易い動きの少ないシーンであったり、放送局から提供されるシーンであったりする。
【００３５】
他方、上述したイベントによりＤＶＤ再生処理のコマンドが起動されると、ステップＳ２６に移行して、ＤＶＤの再生処理が実行される。ステップＳ２７においては、リスト格納領域を検索することにより、すでに同一のＤＶＤが再生されたか否か、または、この一実施形態による番組記録再生装置において記録されたＤＶＤであるか否かの検出処理が実行される。
【００３６】
ステップＳ２７において、ＤＶＤが同一の場合、本コマンドにより実行される処理が終了して、コマンド待ちのステップＳ２２に復帰する。他方、ＤＶＤが同一でない場合、ステップＳ２４において代表シーンが検出された後、ステップＳ２５においてリスト格納領
域にリストを追加する処理が実行される。すなわち、リスト格納領域に管理番号が追加され、番組のタイトル、画質、ＤＶＤ再生された状態を示す情報、番組に関連する情報、さらには代表シーンがリストに埋め込まれる。なお、リスト内に埋めるデータが存在しない場合は、そのデータが存在しないことがリストに埋め込まれる。
【００３７】
また、イベントにより、ハードディスク１３に記録された番組と、番組に関連する情報とをＤＶＤにコピーするコマンドが起動されると、ステップＳ２８においてＤＶＤにコピーする処理が実行される。また、リスト作成に伴って、画質や代表シーンなどの情報も記録される。
【００３８】
ステップＳ２８の処理が終了すると、ステップＳ２９に移行して、リストを複写する往診処理が実行される。ここで、複写であることから、管理番号が新たに割り当てられる。また、状態がＤＶＤに記録されていることを表す情報となり、番組に関連する情報や付帯情報などがあわせてハードディスク１３のリスト格納領域に格納される。
【００３９】
上述したイベントによりハードディスク消去コマンドが起動されると、ステップＳ２１０に移行して、ハードディスクの指定番組を消去する処理が実行される。その後、ステップＳ２１１において、指定番組に対応する番組に関連する情報などリストから消去してリストを更新する処理が実行される。
【００４０】
なお、上述したＤＶＤコピー処理（ステップＳ２８およびステップＳ２９）とハードディスク消去処理（ステップＳ２１０およびステップＳ２１１）とを連続して行うことによって、ハードディスクからＤＶＤに番組を移動することが可能となる。また、この一実施形態においては、番組を消去するとリストからも削除されるようになっているが、必ずしもこの消去方法に限定されるものではなく、リストからの削除をリモコンの操作を利用することによって、使用者による判断を行うことも考えられる。この場合、過去に記録した番組の履歴を参照することが可能となる。
【００４１】
また、ステップＳ２２において入力されたイベントにより、番組を予約するためのコマンドが起動されると、ステップＳ２１２に移行して、番組を予約するための処理が実行される。この予約処理は使用者により設定された内容が、リモコン受信装置１６により受信されることにより実行される。
【００４２】
続いて、ステップＳ２１３において、予約番組がリストの中に含まれているか否かの判定が行われる。その結果、予約番組がリストの中に含まれている場合には、ステップＳ２１４に移行して、その旨を使用者に通知するために、再生装置を通じてメッセージが表示される。他方、リストに含まれていない場合は予約が完了する。
【００４３】
ステップＳ２１５は、リストに含まれている場合においても予約をするか否かを使用者に判断を仰ぐ処理である。そして、ステップＳ２１５において、使用者によるリモコンの操作に基づく信号が、リモコン受信装置１６により受信され、ステップＳ２１５において予約を実行する場合、予約処理が完了されてコマンド待ちとなる。他方、ステップＳ２１５において予約を実行しない場合には、ステップＳ２１６に移行して、予約の取消処理が実行された後、コマンド待ちとなる。
【００４４】
このイベントにより、その他の処理のためのコマンドが起動されると、ステップＳ２２４において、コマンドに応じた処理が実行される。
【００４５】
次に、ステップＳ２１７からステップＳ２２３までの処理について説明する。このステップＳ２１７〜Ｓ２２３においては、図４に示す構成が前提となる。そこで、まず、図４
に示す構成について以下に説明する。
【００４６】
図４に示すように、この一実施形態による番組記録再生装置４１においては、図１に示す再生装置１５を介してテレビ４２が接続されており、番組の映像音声などの再生や番組情報などを表示することができる。
【００４７】
また、図１に示すネットワーク接続装置１８を介してネットワーク４３と接続が可能であり、他の機器との間において情報の供給や入力を行うことができる。
【００４８】
プリンタ４４は、ネットワークを介して、この一実施形態による番組記録再生装置４１４１や他の機器から受信する情報を印刷可能に構成されている。そして、この一実施形態においては、ＤＶＤ自体に直接印刷可能に構成されている。
【００４９】
また、ゲートウェイ４５は、ローカルなネットワーク４３と、グローバルなネットワークであるインターネット４６とを接続するためのデータ変換装置である。携帯電話情報配信装置４７は、携帯電話４８とインターネットの情報とを配信可能に構成されている。
【００５０】
そして、イベントによりリスト表示のコマンドが起動されると、ステップＳ２１７において、テレビ画面にリストの初期表示が行われる。なお、初期表示とは、リスト内の項目や番組リストを全て表示することができないため、定められた管理番号順に基づいて、表示を行うことをいう。
【００５１】
ここで、ステップＳ２１７に関連した、テレビなどの表示装置に表示されるリストの一例を、図５に示す。図５に示すように、この一実施形態による表示装置においては、管理番号やタイトル、状態などリストに記載の項目がリストとして表示される。
【００５２】
また、この一実施形態においては、図５の矢印をリモコンなどで操作することで画面をスクロールすることが可能である。また、代表シーンを表示することによって、使用者に対して、より視覚的に、識別効果を生じさせることが可能となる。また、この代表シーンとして、番組の映像から抽出したものであれば、使用者により、画像の画質も視覚的に認識させることが可能となる。
【００５３】
次に、ステップＳ２１８に移行すると、使用者の操作（リモコン操作）待ちのループとなる。そして、使用者の操作が行われると、その操作に応じて、処理が移行する。
【００５４】
まず、使用者による操作がカーソル移動であれば、ステップＳ２１９に移行して、指示に従ったカーソル移動が実行される。続いて、ステップＳ２２０に移行して、テレビ画面上のリスト表示が更新される。
【００５５】
他方、ステップＳ２１８において、使用者の操作によりリスト印刷が指示されると、ステップＳ２２１に移行して、ネットワーク４３を介して、プリンタ４４によりリストの印刷処理が実行される。なお、リスト表示と同様に、ステップＳ２５などにおいて作成されるリストに記載された情報とともに代表シーンの画像が印刷される。
【００５６】
また、ステップＳ２１８において、使用者の操作によりＤＶＤ印刷が指示されると、ステップＳ２２２に移行して、現在カーソルによって選択中の番組リストに対応する情報や代表シーンを、ＤＶＤ媒体上に印刷する処理が実行される。このようにしてＤＶＤなどの記録媒体に印刷がされた状態を、図６に示す。
【００５７】
図６に示すように、ＤＶＤなどの記録媒体に対して印刷される項目としては、たとえば
管理番号、タイトル、録画日、画質などであり、必要に応じて、代表シーンの画像なども印刷可能である。
【００５８】
また、図２に示すステップＳ２２において入力されたイベントにより、起動されたコマンドがインターネット配信である場合、ステップＳ２２３に移行して、ネットワーク４３を介して、上述したステップＳ２５などにおいて作成されるリストを、クライアントに配信する処理が実行される。この場合、クライアントとしては、携帯電話が用いられる。
【００５９】
また、携帯電話により入力されたキーワードによって、リストに記載されている番組を検索する手段を装備するのが望ましい。すなわち、検索する手段を装備することにより、例えばレンタルショップなどにおいて、当該ＤＶＤの映像を、自分が見たことがあるか否か、または記録済みの番組であるか否かを、携帯端末を通じて認識することが可能となる。
【００６０】
以上、この発明の一実施形態について具体的に説明したが、この発明は、上述の一実施形態に限定されるものではなく、この発明の技術的思想に基づく各種の変形が可能である。
【００６１】
例えば、上述の実施形態において挙げたリスト、映像情報、印刷内容などはあくまでも例に過ぎず、必要に応じてこれと異なるリスト、映像情報、印刷内容を採用することが可能である。
【図面の簡単な説明】
【００６２】
【図１】この発明の一実施形態による番組記録再生装置の構成を示すブロック図である。
【図２】この発明の一実施形態による番組記録再生装置の集中制御装置による処理を示すフローチャートである。
【図３】この発明の一実施形態による番組記録再生装置におけるハードディスク記録、ＤＶＤ記録、ＤＶＤ再生した番組に関する情報のリストの一例である。
【図４】図２に示すその他の処理が実行される前提となるシステム構成を示す略線図である。
【図５】この発明の一実施形態による番組記録再生装置に接続された表示部に表示される番組リストの表示例である。
【図６】ＤＶＤ媒体に記録される番組情報を、ＤＶＤに印刷した場合の一例を示す略線図である。
【符号の説明】
【００６３】
１１  放送受信装置
１２  集中制御装置
１３  ハードディスク
１４  ＤＶＤドライブ
１５  再生装置
１６  リモコン受信装置
１７  時刻計測装置
１８  ネットワーク接続装置
４１  番組記録再生装置
４２  テレビ
４３  ネットワーク
４４  プリンタ
４５  ゲートウェイ
４６  インターネット
４７  携帯電話情報配信装置
４８  携帯電話
【図１】
2006093933.tif 000003
【図２】
2006093933.tif 000004
【図３】
2006093933.tif 000005
【図４】
2006093933.tif 000006
【図５】
2006093933.tif 000007
【図６】
2006093933.tif 000008